(57)【要約】【課題】表示画面の切り換え操作を行うことなく、演算処理の処理対象範囲を容易に指定し得る表示制御装置を提供する。【解決手段】入力信号を示す入力信号データに対して所定の演算処理を実行して処理データを出力する演算部と、演算部を制御して所定の演算処理を実行させると共に入力信号データに基づく入力信号の信号波形図Ｐｗ１，Ｐｗ２および処理データに基づく入力信号の特性を示す特性図Ｐｃを表示部１５に表示させる制御部とを備えた表示制御装置であって、制御部は、特性図Ｐｃと、所定時間分の入力信号データのうちの所定の演算処理の処理対象範囲を含む第１の時間分の入力信号データに基づく信号波形図Ｐｗ１とを同一の表示画面Ｐ内に並べて表示させる。【選択図】図４
2007205736.tif 000002
【特許請求の範囲】
【請求項１】
入力信号を示す入力信号データに対して所定の演算処理を実行して処理データを出力する演算部と、当該演算部を制御して前記所定の演算処理を実行させると共に前記入力信号データに基づく前記入力信号の信号波形図および前記処理データに基づく前記入力信号の特性を示す特性図を表示部に表示させる制御部とを備えた表示制御装置であって、
前記制御部は、前記特性図と、所定時間分の前記入力信号データのうちの前記所定の演算処理の処理対象範囲を含む第１の時間分の当該入力信号データに基づく前記入力信号の前記信号波形図とを同一画面内に並べて表示させる表示制御装置。
【請求項２】
前記制御部は、前記処理対象範囲を逐次変更して前記演算部に前記所定の演算処理を実行させると共に、当該演算部から出力された前記処理データに基づいて前記特性図を逐次表示替えさせる請求項１記載の表示制御装置。
【請求項３】
前記制御部は、前記特性図と、前記第１の時間分の入力信号データに基づく前記信号波形図としての第１の信号波形図と、前記処理対象範囲に対応する前記入力信号データに基づく前記信号波形図としての第２の信号波形図とを同一画面内に並べて表示させると共に、当該第１の信号波形図よりも当該第２の信号波形図を時間軸方向に拡大して表示させる請求項１または２記載の表示制御装置。
【請求項４】
前記制御部は、前記所定の演算処理が完了した処理完了範囲を示す完了範囲表示を前記第１の時間分の入力信号データに基づく前記信号波形図に関連付けて表示させる請求項１から３のいずれかに記載の表示制御装置。
【請求項５】
前記制御部は、前記第１の時間の前記所定時間に対する相対的な時間範囲を示す第１の表示を表示させる請求項１から４のいずれかに記載の表示制御装置。
【請求項６】
前記制御部は、前記第１の表示として、前記所定時間に対応する長さのスクロールバー内に前記第１の時間に対応する長さのスクロールボックスを表示させる請求項５記載の表示制御装置。
【請求項７】
前記制御部は、前記処理対象範囲の前記所定時間に対する相対的な時間範囲を示す第２の表示を表示させる請求項１から６のいずれかに記載の表示制御装置。
【請求項８】
前記制御部は、前記所定の演算処理が完了した処理完了範囲の前記所定時間に対する相対的な時間範囲を示す第３の表示を表示させる請求項１から７のいずれかに記載の表示制御装置。
【発明の詳細な説明】
【技術分野】
【０００１】
本発明は、入力信号を示す入力信号データに基づく信号波形図と入力信号の特性を示す特性図とを表示部に表示可能に構成された表示制御装置に関するものである。
【背景技術】
【０００２】
この種の表示制御装置として、特開平７−４３４０３号公報において出願人が開示したＦＦＴ（高速フーリエ変換）アナライザが知られている。このＦＦＴアナライザは、入力信号（アナログ信号）をデジタルデータ（デジタル信号：入力信号データ）に変換するＡ／Ｄ変換器、デジタルデータを記憶するＲＡＭ、プログラムが書き込まれたＲＯＭ、プログラムに従ってデジタルデータについてＦＦＴ演算処理を実行するＣＰＵ、ＦＦＴ演算処理によって得られたデータに基づくスペクトラムを示すスペクトラム図を表示するディスプレイ（表示部）等を備えて構成されている。
【０００３】
この場合、出願人が開示しているＦＦＴアナライザのように演算結果に基づいてスペクトラム図等の特性図（入力信号の特性を示す図）を表示させる表示制御装置では、例えば１０００ｍｓ分の入力信号データ（上記のデジタルデータ）に基づく信号波形図を表示部に表示させると共に、その１０００ｍｓ分の入力信号データのうちからＦＦＴ演算処理の対象とする入力信号データを指定させて（処理対象範囲を指定させて）、指定された入力信号データを対象とする演算処理を実行する構成が採用されている。具体的には、一例として、信号波形図に重ねて表示したカーソルの位置に対応する時点から予め設定された時間分（一例として、２００ｍｓ分）の入力信号データが演算処理の対象として指定され、指定された入力信号データを対象とするＦＦＴ演算処理が実行される。これにより、例えば演算処理が完了した時点において上記の１０００ｍｓ分の入力信号データに基づく信号波形図に替えて、演算結果に基づくスペクトラム図（特性図）が表示部に表示される。
【特許文献１】特開平７−４３４０３号公報（第２頁、第１−２図）
【発明の開示】
【発明が解決しようとする課題】
【０００４】
ところが、上記のＦＦＴアナライザを含む表示制御装置には、改善すべき以下の課題がある。すなわち、この種の表示制御装置では、演算処理の処理対象範囲を指定するためのカーソルを信号波形図上で移動させることで処理対象範囲を指定すると共に、指定された処理対象範囲についての演算処理が完了した時点において信号波形図に替えてスペクトラム図等の入力信号の特性図を表示させる構成が採用されている。したがって、特性図が表示されている状態において、他の新たな処理対象範囲を指定して演算処理を実行する際には、表示部に表示されている特性図に替えて、新たな処理対象範囲を含む例えば１０００ｍｓ分の入力信号データに基づく信号波形図を表示部に表示させる必要がある。このため、この種の表示制御装置には、演算結果に基づく特性図を表示する表示画面と、演算処理の処理対象範囲を指定するための信号波形図を表示する表示画面との切り換え操作を要する分だけ、新たな処理対象範囲の指定操作が煩雑であり、この点の改善が望まれている。
【０００５】
本発明は、かかる改善すべき課題に鑑みてなされたものであり、表示画面の切り換え操作を行うことなく、処理対象範囲を容易に指定し得る表示制御装置を提供することを主目的とする。
【課題を解決するための手段】
【０００６】
上記目的を達成すべく請求項１記載の表示制御装置は、入力信号を示す入力信号データに対して所定の演算処理を実行して処理データを出力する演算部と、当該演算部を制御して前記所定の演算処理を実行させると共に前記入力信号データに基づく前記入力信号の信号波形図および前記処理データに基づく前記入力信号の特性を示す特性図を表示部に表示させる制御部とを備えた表示制御装置であって、前記制御部は、前記特性図と、所定時間分の前記入力信号データのうちの前記所定の演算処理の処理対象範囲（所定時間分の入力信号データのうちから演算処理の対象として指定された入力信号データの範囲）を含む第１の時間分の当該入力信号データに基づく前記入力信号の前記信号波形図とを同一画面内に並べて表示させる。
【０００７】
また、請求項２記載の表示制御装置は、請求項１記載の表示制御装置において、前記制御部が、前記処理対象範囲を逐次変更して前記演算部に前記所定の演算処理を実行させると共に、当該演算部から出力された前記処理データに基づいて前記特性図を逐次表示替えさせる。
【０００８】
さらに、請求項３記載の表示制御装置は、請求項１または２記載の表示制御装置において、前記制御部が、前記特性図と、前記第１の時間分の入力信号データに基づく前記信号波形図としての第１の信号波形図と、前記処理対象範囲に対応する前記入力信号データに基づく前記信号波形図としての第２の信号波形図とを同一画面内に並べて表示させると共に、当該第１の信号波形図よりも当該第２の信号波形図を時間軸方向に拡大して表示させる。
【０００９】
また、請求項４記載の表示制御装置は、請求項１から３記載の表示制御装置において、前記制御部が、前記所定の演算処理が完了した処理完了範囲（所定時間分の入力信号データのうちの演算処理が完了した入力信号データの範囲）を示す完了範囲表示を前記第１の時間分の入力信号データに基づく前記信号波形図に関連付けて表示させる。
【００１０】
さらに、請求項５記載の表示制御装置は、請求項１から４記載の表示制御装置において、前記制御部が、前記第１の時間の前記所定時間に対する相対的な時間範囲を示す第１の表示を表示させる。
【００１１】
また、請求項６記載の表示制御装置は、請求項５記載の表示制御装置において、前記制御部が、前記第１の表示として、前記所定時間に対応する長さのスクロールバー内に前記第１の時間に対応する長さのスクロールボックスを表示させる。
【００１２】
さらに、請求項７記載の表示制御装置は、請求項１から６のいずれかに記載の表示制御装置において、前記制御部が、前記処理対象範囲の前記所定時間に対する相対的な時間範囲を示す第２の表示を表示させる。
【００１３】
また、請求項８記載の表示制御装置は、請求項１から７のいずれかに記載の表示制御装置において、前記制御部が、前記所定の演算処理が完了した処理完了範囲の前記所定時間に対する相対的な時間範囲を示す第３の表示を表示させる。
【発明の効果】
【００１４】
請求項１記載の表示制御装置によれば、特性図と、所定時間分の入力信号データのうちの所定の演算処理の処理対象範囲を含む第１の時間分の入力信号データに基づく入力信号の信号波形図とを同一画面内に並べて表示させることにより、特性図を表示させた状態において新たな処理対象範囲を指定して所定の演算処理を実行する際に、表示画面を切り換えることなく、新たな処理対象範囲を含む時間長の信号波形を信号波形図として表示させて新たな処理対象範囲を直ちに指定することができる。したがって、この種の装置の操作に不慣れなオペレータに対しても、処理対象範囲を容易に指定させることができる。
【００１５】
また、請求項２記載の表示制御装置によれば、制御部が、処理対象範囲を逐次変更して演算部に所定の演算処理を実行させると共に、演算部から出力された処理データに基づいて特性図を逐次表示替えさせることにより、処理対象範囲を何度も指定する煩雑な操作を行うことなく、大量の入力信号データを対象とする複数回に亘る演算処理を容易に実行させることができる。
【００１６】
さらに、請求項３記載の表示制御装置によれば、特性図と、第１の時間分の入力信号データに基づく信号波形図としての第１の信号波形図と、処理対象範囲に対応する入力信号データに基づく信号波形図としての第２の信号波形図とを同一画面内に並べて表示させると共に、第１の信号波形図よりも第２の信号波形図を時間軸方向に拡大して表示させることにより、表示される第２の信号波形図を参照することで処理対象範囲を的確に指定しているかを容易に認識することができる。したがって、処理対象範囲として意図しない範囲を指定した状態において所定の演算処理が実行される事態を回避することができる。
【００１７】
また、請求項４記載の表示制御装置によれば、所定の演算処理が完了した処理完了範囲を示す完了範囲表示を第１の時間分の入力信号データに基づく信号波形図に関連付けて表示させることにより、既に演算処理が完了している範囲を含んで新たな処理対象範囲を指定する事態を招くことなく、新たな処理対象範囲を的確に指定することができる。
【００１８】
さらに、請求項５記載の表示制御装置によれば、第１の時間の所定時間に対する相対的な時間範囲を示す第１の表示を表示させることにより、所定時間分の入力信号データのうちのいずれの時点の入力信号データに基づいて信号波形図が表示されているかを直感的に認識させることができる。
【００１９】
また、請求項６記載の表示制御装置によれば、第１の表示として、所定時間に対応する長さのスクロールバー内に第１の時間に対応する長さのスクロールボックスを表示させることにより、スクロールバー内においてスクロールボックスをスライドさせるだけで、所定時間分の入力信号データのうちの所望する時点の入力信号データに基づく信号波形図を容易に表示させることができる。
【００２０】
さらに、請求項７記載の表示制御装置によれば、処理対象範囲の所定時間に対する相対的な時間範囲を示す第２の表示を表示させることにより、所定時間分の入力信号データのうちのいずれの時点の入力信号データを処理対象範囲として指定しているかを直感的に認識させることができる。
【００２１】
また、請求項８記載の表示制御装置によれば、処理完了範囲の所定時間に対する相対的な時間範囲を示す第３の表示を表示させることにより、所定時間分の入力信号データのうちのいずれの時点の入力信号データについての演算処理が完了しているか（いずれの時点の入力信号データについての特性図が表示されているか）を直感的に認識させることができる。
【発明を実施するための最良の形態】
【００２２】
以下、本発明に係る表示制御装置の最良の形態について、添付図面を参照して説明する。
【００２３】
最初に、波形表示装置１の構成について、図面を参照して説明する。
【００２４】
図１に示す波形表示装置１は、本発明に係る表示制御装置と本発明における表示部とを一体的に構成した表示装置の一例であって、入力信号Ｓｉ（一例として、電圧信号）の信号波形を示す信号波形図と、入力信号Ｓｉの特性を示す特性図とを表示可能に構成されている。具体的には、波形表示装置１は、入力信号処理部１１、ストレージメモリ１２、記憶部１３、演算部１４、表示部１５、操作部１６および制御部１７を備えて構成されている。
【００２５】
入力信号処理部１１は、Ａ／Ｄコンバータを備えて構成され、制御部１７の制御に従い、入力信号Ｓｉについてのパラメータの値（例えば、電圧値）を所定の周期でサンプリングして本発明における入力信号データに相当するサンプリングデータＤｓを出力する。ストレージメモリ１２は、入力信号処理部１１から出力されて制御部１７によって転送されるサンプリングデータＤｓや、演算部１４から出力される処理データＤｐを記憶する。記憶部１３は、演算部１４によって実行される演算処理に用いられる演算用データＤｏや制御部１７の動作プログラム等を記憶する。演算部１４は、制御部１７の制御に従い、記憶部１３に記憶されている演算用データＤｏを用いて、ストレージメモリ１２に記憶されているサンプリングデータＤｓに対して、例えばＦＦＴ演算処理等の所定の演算処理を実行して、処理データＤｐを出力する。
【００２６】
表示部１５は、図２に示すように、波形表示装置１における本体部２の正面パネルに配置されたＬＣＤパネルを備えて構成され、制御部１７から出力される表示データＤｄ（図１参照）に基づく各種の画像（表示画面）を表示する。操作部１６は、各種のスイッチやダイヤル等を備えて構成されて、本体部２の正面パネルに配置されている。また、操作部１６は、スイッチやダイヤルが操作されたときに操作信号Ｓｏ（図１参照）を出力する。
【００２７】
制御部１７は、操作部１６から出力される操作信号Ｓｏに従って各種の処理を実行する。この場合、制御部１７は、入力信号処理部１１を制御してサンプリングデータＤｓを出力させると共に、そのサンプリングデータＤｓをストレージメモリ１２に記憶させる。また、制御部１７は、演算部１４を制御して、サンプリングデータＤｓに対する各種の演算処理を実行させると共に、演算処理によって演算部１４から出力される処理データＤｐをストレージメモリ１２に記憶させる。さらに、制御部１７は、サンプリングデータＤｓや処理データＤｐに基づいて表示データＤｄを生成して表示部１５に出力することにより、入力信号Ｓｉの信号波形を示す信号波形図Ｐｗ１，Ｐｗ２や入力信号Ｓｉの特性を示す特性図Ｐｃ（図４参照）などを表示部１５に表示させる。
【００２８】
次に、入力信号Ｓｉの特性図Ｐｃ等を表示させる際の波形表示装置１の全体的な動作について説明する。
【００２９】
まず、操作部１６のスイッチを操作して入力信号Ｓｉ（例えば、電圧信号）の記録を開始させる。この際に、制御部１７が操作部１６から出力される操作信号Ｓｏに従って入力信号処理部１１を制御することにより、入力信号ＳｉについてのサンプリングデータＤｓを出力させる。また、制御部１７は、入力信号処理部１１から出力されたサンプリングデータＤｓをストレージメモリ１２に記憶（記録）させる。これにより、ストレージメモリ１２に所定時間分のサンプリングデータＤｓが記憶される。次に、記憶させたサンプリングデータＤｓに基づき、入力信号Ｓｉの特性図Ｐｃ（図４参照）を表示させるときには、制御部１７は、まず、図３に示す表示画面Ｐを表示部１５に表示させる。この表示画面Ｐには、信号波形図Ｐｗ１，Ｐｗ２、スクロールバー２３、スクロールボックス２４およびマーカー２５などが表示されると共に、信号波形図Ｐｗ１に重ねてカーソル表示２１が表示される。
【００３０】
この場合、信号波形図Ｐｗ１は、本発明における第１の信号波形図に相当し、ストレージメモリ１２に記憶されている所定時間分のサンプリングデータＤｓのうちの例えば１０００ｍｓ（本発明における第１の時間の一例）分のサンプリングデータＤｓに基づき、横軸（Ｘ軸）を時間とし、縦軸（Ｙ軸）を振幅とする直交座標上に入力信号Ｓｉについてのパラメータの値（例えば、入力信号Ｓｉの電圧値）がプロットされて表示されている。なお、この波形表示装置１では、どの程度の時間分の信号波形図Ｐｗ１を表示画面Ｐに表示させるか（本発明における第１の時間をどの程度とするか）について、図示しない動作条件設定用画面を表示部１５に表示させた状態において適宜変更することができるように構成されている。この場合、本発明における第１の時間の指定方法については、上記の例示のような「１０００ｍｓ分」との指定方法のみならず、サンプリングデータＤｓのポイント数を指定することで、結果として１０００ｍｓ分のサンプリングデータＤｓを指定する方法を採用することができる。
【００３１】
また、信号波形図Ｐｗ２は、本発明における第２の信号波形図に相当し、表示画面Ｐに表示されている信号波形図Ｐｗ１に対応する１０００ｍｓ分のサンプリングデータＤｓのうちから後述するＦＦＴ演算処理（以下、「演算処理」ともいう）の対象として指定された例えば２００ｍｓ分のサンプリングデータＤｓ（本発明における処理対象範囲に対応する入力信号データの一例）に基づき、上記の信号波形図Ｐｗ１と同様にして直交座標上に入力信号Ｓｉについてのパラメータの値がプロットされて表示されている。なお、同図に示す信号波形図Ｐｗ２は、ストレージメモリ１２から読み出された２００ｍｓ分のサンプリングデータＤｓに対して所定の窓関数を乗じたサンプリングデータＤｓに基づいて表示されている。以下、本発明についての理解を容易とするために、窓関数についての説明を省略する。
【００３２】
また、この波形表示装置１では、どの程度の時間分のサンプリングデータＤｓを演算処理の対象とするか、すなわち、どの程度の時間分の信号波形図Ｐｗ２を表示画面Ｐに表示させるか（本発明における処理対象範囲の時間長をどの程度とするか）について、図示しない動作条件設定用画面を表示部１５に表示させた状態において適宜変更することができるように構成されている。この場合、本発明における処理対象範囲の時間長に関する指定方法については、上記の例示のような「２００ｍｓ分」との指定方法のみならず、サンプリングデータＤｓのポイント数を指定することで、結果として２００ｍｓ分のサンプリングデータＤｓを指定する方法を採用することができる。
【００３３】
さらに、カーソル表示２１は、ストレージメモリ１２に記憶されている所定時間分のサンプリングデータＤｓのうちから演算処理の対象とするサンプリングデータＤｓを指定する（処理対象範囲を指定する）ための表示であって、全体として矩形状に表示されると共に、信号波形図Ｐｗ１に重ねられることで信号波形図Ｐｗ１に関連付けられる。この場合、カーソル表示２１では、左側のバー２１ａが処理対象範囲の開始点を示し、右側のバー２１ｂが処理対象範囲の終了点を示している。また、カーソル表示２１の長さＬ１は、どの程度の時間分のサンプリングデータＤｓを処理対象範囲とするか（この例では、２００ｍｓ）に応じて制御部１７によって自動的に規定される。
【００３４】
また、スクロールバー２３およびスクロールボックス２４は、本発明における第１の表示に相当する。この場合、スクロールボックス２４は、ストレージメモリ１２に記憶されているサンプリングデータＤｓのデータ量（時間）をスクロールバー２３の長さＬ３としたときに、表示画面Ｐに表示されている信号波形図Ｐｗ１に対応するサンプリングデータＤｓのデータ量（時間）に応じて、その長さＬ４が制御部１７によって自動的に規定される。また、スクロールボックス２４は、ストレージメモリ１２に記憶されている所定時間分のサンプリングデータＤｓのうちのいずれの時点のサンプリングデータＤｓに基づく信号波形図Ｐｗ１が表示画面Ｐに表示されているかに応じて、スクロールバー２３内における表示位置が制御部１７によって自動的に規定される。したがって、スクロールバー２３内におけるスクロールボックス２４の表示位置と、スクロールバー２３の長さＬ３に対するスクロールボックス２４の長さＬ４とに基づき、ストレージメモリ１２内のすべてのサンプリングデータＤｓに対応する時間（本発明における所定時間）に対する波形表示範囲（表示画面Ｐに信号波形図Ｐｗ１が表示されている範囲）の相対的な時間範囲を視覚的に認識することが可能となっている。
【００３５】
マーカー２５は、スクロールバー２３と相俟って本発明における第２の表示を構成する。この場合、マーカー２５は、ストレージメモリ１２に記憶されているサンプリングデータＤｓのデータ量（時間）をスクロールバー２３の長さＬ３としたときに、カーソル表示２１によって指定されている範囲の信号波形図Ｐｗ１（すなわち、信号波形図Ｐｗ２）に対応するサンプリングデータＤｓのデータ量（時間）に応じて、その長さＬ５が制御部１７によって自動的に規定される。また、マーカー２５は、表示画面Ｐに表示されている信号波形図Ｐｗ１に対応するサンプリングデータＤｓのうちのいずれの時点のサンプリングデータＤｓがカーソル表示２１によって指定（選択）されているかに応じて、スクロールバー２３内における表示位置が制御部１７によって自動的に規定される。したがって、スクロールバー２３内におけるマーカー２５の表示位置と、スクロールバー２３の長さＬ３に対するマーカー２５の長さＬ５とに基づき、ストレージメモリ１２内のすべてのサンプリングデータＤｓに対応する時間（本発明における所定時間）に対する処理対象範囲（後述する演算処理の対象として指定された範囲）の相対的な時間範囲を視覚的に認識することが可能となっている。
【００３６】
次いで、操作部１６のスイッチを操作することにより、演算処理の対象として指定する処理対象範囲に対応する信号波形を含む信号波形図Ｐｗ１が表示画面Ｐに表示されるように信号波形図Ｐｗ１内において信号波形を左方向または右方向にスクロールさせる。この際には、信号波形のスクロールに連動してスクロールボックス２４がスクロールバー２３内において左方向または右方向にスライドする。この場合、この波形表示装置１では、操作部１６のカーソルスイッチ（図示せず）等を操作することでスクロールボックス２４をスクロールバー２３に対してスライドさせることによって信号波形図Ｐｗ１内において信号波形をスクロールさせることもできるように構成されている。
【００３７】
続いて、演算処理の対象として指定すべきサンプリングデータＤｓに対応する信号波形がカーソル表示２１によって囲まれるように操作部１６のスイッチを操作して信号波形図Ｐｗ１内においてカーソル表示２１を左方向または右方向にスライドさせる。具体的には、信号波形図Ｐｗ１に重ねて表示されているカーソル表示２１を参照しつつスイッチ操作することにより、信号波形において処理対象範囲における開始点に対応する部位にバー２１ａを重ね、信号波形において処理対象範囲に対応する部位がバー２１ａ，２１ｂの間に挟まれるようにカーソル表示２１をスライドさせる。この際には、カーソル表示２１によって囲まれた範囲（バー２１ａ，２１ｂによって挟まれている範囲）の信号波形に対応するサンプリングデータＤｓに基づいて信号波形図Ｐｗ２が逐次表示替えされる。この場合、この波形表示装置１では、カーソル表示２１によって囲まれた範囲内の信号波形が信号波形図Ｐｗ２としてその時間軸方向に拡大されて表示される構成が採用されている。したがって、カーソル表示２１のスライドに伴って表示替えされる信号波形図Ｐｗ２を参照することで、カーソル表示２１によって所望の範囲が的確に指定されているかを確認しつつ処理対象範囲を指定することが可能となっている。
【００３８】
続いて、演算処理の開始が指示されたときに、制御部１７は、操作信号Ｓｏに従って演算部１４を制御して、ストレージメモリ１２および記憶部１３からサンプリングデータＤｓおよび演算用データＤｏを読み出させると共に、演算用データＤｏを用いたサンプリングデータＤｓに対する演算処理を実行させる。具体的には、制御部１７は、演算部１４を制御して、ストレージメモリ１２に記憶されている所定時間分のサンプリングデータＤｓのうちから、信号波形図Ｐｗ１内においてカーソル表示２１によって囲まれている範囲内の信号波形（バー２１ａ，２１ｂの間に挟まれている信号波形：すなわち、信号波形図Ｐｗ２）に対応する時間分（この例では、２００ｍｓ分）のサンプリングデータＤｓを処理対象範囲に対応するサンプリングデータＤｓとしてストレージメモリ１２から読み出させると共に、記憶部１３から演算用データＤｏを読み出させる。次いで、制御部１７は、演算部１４を制御して本発明における所定の演算処理の一例であるＦＦＴ演算処理を実行させる。これに応じて、演算部１４から処理データＤｐが出力される。
【００３９】
続いて、制御部１７は、出力された処理データＤｐに基づき、図４に示すように、特性図Ｐｃを表示画面Ｐに表示させる。この場合、特性図Ｐｃは、本発明における特性図の一例であるリニアスペクトラム図であって、横軸（Ｘ軸）を周波数とし、縦軸（Ｙ軸）を振幅とする直交座標上に入力信号Ｓｉについてのパラメータの値（例えば、入力信号Ｓｉの各周波数における電圧値）がプロットされて表示されている。また、制御部１７は、信号波形図Ｐｗ２の表示と共に、マーカー２２，２６を表示画面Ｐに表示させる。この場合、マーカー２２は、本発明における完了範囲表示に相当し、演算部１４による演算処理が完了している処理完了範囲を信号波形図Ｐｗ１に関連付けて示している。なお、同図では、カーソル表示２１よりも左側にマーカー２２が表示された状態を図示しているが、演算処理が完了した時点（特性図Ｐｃを表示させた時点）においては、マーカー２２とカーソル表示２１とが表示画面Ｐ上において上下方向で重なるようにして表示される。
【００４０】
また、マーカー２６は、スクロールバー２３と相俟って本発明における第３の表示を構成する。この場合、マーカー２６は、ストレージメモリ１２に記憶されているサンプリングデータＤｓのデータ量（時間）をスクロールバー２３の長さＬ３としたときに、表示画面Ｐに表示されている特性図Ｐｃに対応するサンプリングデータＤｓのデータ量（時間）に応じて、その長さＬ６が制御部１７によって自動的に規定される。また、マーカー２６は、表示画面Ｐに表示されている信号波形図Ｐｗ１に対応するサンプリングデータＤｓのうちのいずれの時点のサンプリングデータＤｓが演算処理されて特性図Ｐｃが表示されているかに応じて、スクロールバー２３内における表示位置が制御部１７によって自動的に規定される。
【００４１】
したがって、スクロールバー２３内におけるマーカー２６の表示位置と、スクロールバー２３の長さＬ３に対するマーカー２６の長さＬ６とに基づき、ストレージメモリ１２内のすべてのサンプリングデータＤｓに対応する時間（本発明における所定時間）に対する処理完了範囲（特性図Ｐｃの表示範囲）の相対的な時間範囲を視覚的に認識することが可能となっている。なお、同図では、マーカー２６がマーカー２５よりも左側に表示された状態を図示しているが、演算処理が完了した時点（特性図Ｐｃを表示させた時点）においては、マーカー２５，２６がスクロールバー２３内において上下方向で重なるようにして表示される。以上により、ストレージメモリ１２に記憶されている所定時間分のサンプリングデータＤｓのうちから指定したサンプリングデータＤｓ（処理対象範囲に対応するサンプリングデータＤｓ）についての演算処理、および演算結果に基づく特性図Ｐｃの表示が完了する。
【００４２】
一方、上記の処理対象範囲とは相違する範囲を指定して演算処理を実行させる際には、新たに指定すべき処理対象範囲に対応する信号波形がカーソル表示２１によって囲まれるようにカーソル表示２１を信号波形図Ｐｗ１内において左方向または右方向にスライドさせる。この際に、この波形表示装置１では、特性図Ｐｃと処理対象範囲を指定するための信号波形図Ｐｗ１とが同一の表示画面Ｐ内に並んで表示されている。したがって、特性図Ｐｃを表示させた状態において表示画面Ｐを切り換えることなく、直ちに新たな処理対象範囲を指定する操作（カーソル表示２１をスライドさせる操作）を開始することが可能となっている。また、この波形表示装置１では、既に演算処理が完了しているサンプリングデータＤｓに対応してマーカー２２が表示画面Ｐに表示されている。したがって、演算処理が完了している範囲を含んで新たな処理対象範囲を指定する（同一のサンプリングデータＤｓを重複して指定する）事態が回避される。
【００４３】
続いて、演算処理の開始が指示されたときに、制御部１７は、演算部１４を制御して新たに指定された処理対象範囲に対応するサンプリングデータＤｓをストレージメモリ１２から読み出させると共に演算用データＤｏを記憶部１３から読み出させて演算処理を実行させる。これにより、演算部１４から新たな処理データＤｐが出力され、制御部１７は、出力された処理データＤｐに基づき、新たな特性図Ｐｃを表示画面Ｐに表示させる。
【００４４】
また、この波形表示装置１は、カーソル表示２１によって指定した処理対象範囲を先頭として、新たな処理対象範囲を連続的かつ自動的に指定して演算処理を実行させる自動演算処理機能を備えている。具体的には、例えば図４に示す位置にカーソル表示２１が表示されている状態においてこの自動演算処理機能による演算処理を開始させたときには、制御部１７は、演算部１４を制御して、信号波形図Ｐｗ１内においてカーソル表示２１によって囲まれている範囲内の信号波形（バー２１ａ，２１ｂの間に挟まれている信号波形）に対応する時間分（この例では、２００ｍｓ分）のサンプリングデータＤｓを処理対象範囲に対応するサンプリングデータＤｓとしてストレージメモリ１２から読み出させて演算処理を実行させる。これにより、演算部１４から出力された処理データＤｐに基づき、最初の処理対象範囲についての特性図Ｐｃが表示画面Ｐに表示される。
【００４５】
次いで、制御部１７は、図４に示すカーソル表示２１のバー２１ｂの表示位置を処理開始点とする２００ｍｓ分の新たな処理対象範囲を指定して演算部１４に演算処理を実行させる。これに応じて、演算部１４が、新たに指定された処理対象範囲についての演算処理を実行して新たな処理データＤｐを出力する。これにより、演算部１４から出力された新たな処理データＤｐに基づき、最初の処理対象範囲に対して時間的に連続する新たな処理対象範囲についての特性図Ｐｃが表示画面Ｐに表示される（特性図Ｐｃが新たな処理対象範囲に対応して表示替えされる）。この後、制御部１７は、操作部１６の操作によって自動演算処理の停止を指示されたとき、または、ストレージメモリ１２内のすべてのサンプリングデータＤｓを対象とする演算処理が完了するまで、２００ｍｓ分のサンプリングデータＤｓを次の新たな処理対象範囲として指定して演算部１４に演算処理を実行させる。これにより、演算部１４から出力される新たな処理データＤｐに基づき、表示画面Ｐにおいて特性図Ｐｃが逐次表示替えされる。
【００４６】
このように、この波形表示装置１によれば、特性図Ｐｃと、ストレージメモリ１２内のすべてのサンプリングデータＤｓ（所定時間分の入力信号データ）のうちの演算処理の処理対象範囲を含む第１の時間分（この例では、１０００ｍｓ分）のサンプリングデータＤｓに基づく入力信号Ｓｉの信号波形図Ｐｗ１とを同一の表示画面Ｐ内に並べて表示させることにより、特性図Ｐｃを表示させた状態において新たな処理対象範囲を指定して演算処理を実行する際に、表示画面Ｐを切り換えることなく、新たな処理対象範囲を含む時間長の信号波形図Ｐｗ１を表示させ、表示させた信号波形図Ｐｗ１に対するカーソル表示２１の表示位置（信号波形にカーソル表示２１を重ねる位置：カーソル表示２１のスライド位置）を変更するだけで新たな処理対象範囲を直ちに指定することができる。したがって、この種の装置の操作に不慣れなオペレータに対しても、処理対象範囲を容易に指定させることができる。
【００４７】
また、この波形表示装置１によれば、制御部１７が、処理対象範囲を逐次変更して演算部１４に演算処理を実行させると共に、演算部１４から出力された処理データＤｐに基づいて特性図Ｐｃを逐次表示替えさせることにより、処理対象範囲を何度も指定する煩雑な操作を行うことなく、大量のサンプリングデータＤｓを対象とする複数回に亘る演算処理を容易に実行させることができる。
【００４８】
さらに、この波形表示装置１によれば、特性図Ｐｃと、第１の時間分（この例では、２００ｍｓ分）のサンプリングデータＤｓに基づく信号波形図Ｐｗ１と、処理対象範囲に対応するサンプリングデータＤｓに基づく信号波形図Ｐｗ２とを同一の表示画面Ｐ内に並べて表示させると共に、信号波形図Ｐｗ１よりも信号波形図Ｐｗ２を時間軸方向に拡大して表示させることにより、表示される信号波形図Ｐｗ２を参照することで処理対象範囲を的確に指定しているかを容易に認識することができる。したがって、処理対象範囲として意図しない範囲を指定した状態において演算処理が実行される事態を回避することができる。
【００４９】
また、この波形表示装置１によれば、演算処理が完了した処理完了範囲を示すマーカー２２（完了範囲表示）を第１の時間分のサンプリングデータＤｓに基づく信号波形図Ｐｗ１に関連付けて表示させることにより、既に演算処理が完了している範囲を含んで新たな処理対象範囲を指定する事態を招くことなく、新たな処理対象範囲を的確に指定することができる。
【００５０】
さらに、この波形表示装置１によれば、本発明における第１の時間（信号波形図Ｐｗ１を表示させた波形表示範囲）の所定時間（ストレージメモリ１２内のすべてのサンプリングデータＤｓに対応する時間）に対する相対的な時間範囲を示すスクロールバー２３およびスクロールボックス２４（第１の表示）を表示させることにより、ストレージメモリ１２に記憶されている所定時間分のサンプリングデータＤｓのうちのいずれの時点のサンプリングデータＤｓに基づいて信号波形図Ｐｗ１が表示画面Ｐに表示されているかを直感的に認識させることができる。
【００５１】
また、この波形表示装置１によれば、本発明における第１の表示として、本発明における所定時間に対応する長さのスクロールバー２３内に本発明における第１の時間に対応する長さのスクロールボックス２４を表示させることにより、スクロールバー２３内においてスクロールボックス２４をスライドさせるだけで、ストレージメモリ１２に記憶されている所定時間分のサンプリングデータＤｓのうちの所望する時点のサンプリングデータＤｓに基づく信号波形図Ｐｗ１を容易に表示させることができる。
【００５２】
さらに、この波形表示装置１によれば、処理対象範囲の所定時間（ストレージメモリ１２内のすべてのサンプリングデータＤｓに対応する時間）に対する相対的な時間範囲を示すスクロールバー２３およびマーカー２５（第２の表示）を表示させることにより、ストレージメモリ１２に記憶されている所定時間分のサンプリングデータＤｓのうちのいずれの時点のサンプリングデータＤｓを処理対象範囲として指定しているかを直感的に認識させることができる。
【００５３】
また、この波形表示装置１によれば、処理完了範囲の所定時間（ストレージメモリ１２内のすべてのサンプリングデータＤｓに対応する時間）に対する相対的な時間範囲を示すスクロールバー２３およびマーカー２６（第３の表示）を表示させることにより、ストレージメモリ１２に記憶されている所定時間分のサンプリングデータＤｓのうちのいずれの時点のサンプリングデータＤｓについての演算処理が完了しているか（いずれの時点のサンプリングデータＤｓについての特性図Ｐｃが表示されているか）を直感的に認識させることができる。
【００５４】
なお、本発明は、上記の構成に限定されない。例えば、特性図Ｐｃとしてのニアスペクトラム図を表示する例について上記したが、本発明における特性図には、パワースペクトラム図、ニコルス線図、ボード線図およびコクアド線図等の各種の特性図が含まれる。この場合、演算部１４が実行する所定の演算処理としては、ＦＦＴ演算処理に限定されず、上記の各種の特性図を表示するのに必要な処理データＤｐを出力するための各種の演算処理が含まれる。また、矩形状のカーソル表示２１を信号波形図Ｐｗ１に重ねて表示する例について上記したが、カーソル表示２１におけるバー２１ａ，２１ｂのみを開始点および終了点として表示させる構成を採用することもできる。加えて、本発明に係る表示制御装置と表示部とを一体的に構成した波形表示装置１について説明したが、外部装置としての表示装置（表示部）に上記の信号波形図Ｐｗ１，Ｐｗ２や特性図Ｐｃ等を表示可能に構成された各種の表示制御装置に本発明を適用することができる。
【図面の簡単な説明】
【００５５】
【図１】波形表示装置１の構成を示すブロック図である。
【図２】波形表示装置１の正面図である。
【図３】信号波形図Ｐｗ１，Ｐｗ２を表示画面Ｐに並べて表示している状態の表示画面図である。
【図４】信号波形図Ｐｗ１，Ｐｗ２および特性図Ｐｃを表示画面Ｐに並べて表示している状態の表示画面図である。
【符号の説明】
【００５６】
１  波形表示装置
１４  演算部
１５  表示部
１７  制御部
２２，２５，２６  マーカー
２３  スクロールバー
２４  スクロールボックス
Ｄｄ  表示データ
Ｄｏ  演算用データ
Ｄｐ  処理データ
Ｄｓ  サンプリングデータ
Ｌ１〜Ｌ６  長さ
Ｐ  表示画面
Ｐｃ  特性図
Ｐｗ１，Ｐｗ２  信号波形図
Ｓｉ  入力信号
【図１】
2007205736.tif 000003
【図２】
2007205736.tif 000004
【図３】
2007205736.tif 000005
【図４】
2007205736.tif 000006